(57)【要約】  本発明は、製造コストを節減して製造効率を高めたコネクターを開示する。目的を達成するための本発明によるコネクターは、印刷回路基板の上に搭載され、一側が外部に開放された空いた空間が形成されるように構成された側壁、及び印刷回路基板に挿通するように側壁の外面から突出した固定部が備えられたハウジングと、一端がハウジングの側壁に挿通し、他端が印刷回路基板に挿通し、印刷回路基板と電気的に接続するように構成された接続端子と、端子収容部、及び固定部の印刷回路基板から外部へ突出した部分と物理的に結合するように端子収容部の外面から固定部が位置した方向へ延びた結合部が備えられた接続ユニットと、を含む。
2022500814.tif 000002
【特許請求の範囲】
【請求項１】
印刷回路基板の上に搭載され、一側が外部に開放された空いた空間が形成されるように構成された側壁と、前記印刷回路基板に挿通するように前記側壁の外面から突出した固定部と、を備えるハウジングと、
一端が前記ハウジングの前記側壁に挿通し、他端が前記印刷回路基板に挿通し、前記印刷回路基板と電気的に接続するように構成された接続端子と、
一部が前記ハウジングの空間に挿入され、残りの部分が前記ハウジングの外部へ突出しており、他のコネクターの接続端子が挿入されるように複数の接続ホールを有する端子収容部と、前記固定部の前記印刷回路基板から外部へ突出した部分と物理的に結合するように前記端子収容部の外面から前記固定部が位置した方向へ延びた結合部と、を備える接続ユニットと、
を含むコネクター。
【請求項２】
前記固定部は、前記結合部と結合し、前記ハウジングの側壁の下部から下方へ突出して延び、さらに水平方向へ線状で延びた固定突起を備える、請求項１に記載のコネクター。
【請求項３】
前記結合部は、
前記端子収容部の下部から下方へ長く延びた柱部と、
前記柱部の下端部から前記固定突起が形成された方向へ延び、延びた方向の端部が固定突起と結合するように構成されたフックと、を備える、請求項２に記載のコネクター。
【請求項４】
前記結合部は、前記フックが上下方向へ移動するように前記柱部の下端部から前記固定突起が形成された方向の反対方向へ長く延びた調整台を備える、請求項３に記載のコネクター。
【請求項５】
前記接続ユニットは、前記結合部をカバーするように前記端子収容部の下部から下方へ延びたカバー部を備える、請求項４に記載のコネクター。
【請求項６】
前記フックは、前記印刷回路基板の外面と対向し、前記固定突起が形成された方向へ長く延びたガイド突起を備える、請求項４または５に記載のコネクター。
【請求項７】
前記固定突起の一部は、前記フックの突起と前記ガイド突起との間に挟まれるように構成された、請求項６に記載のコネクター。
【請求項８】
前記固定突起は、
左右方向へ線状で延びた延長構造と、
前記延長構造の左右方向の両端から前後方向へ延びたサイド構造と、を備える、請求項３から７のいずれか一項に記載のコネクター。
【請求項９】
前記フックは、前記固定突起の延長構造にフック結合するように構成され、
前記延長構造には、内側へ凹んだ結合溝が備えられ、
前記フックは、前記結合溝に挿入されるように構成された締結突起を備える、請求項８に記載のコネクター。
【請求項１０】
請求項１から９のいずれか一項に記載のコネクター及び前記印刷回路基板を含む、印刷回路基板アセンブリー。
【請求項１１】
請求項１０に記載の印刷回路基板アセンブリーを含む、バッテリーパック。
【発明の詳細な説明】
【技術分野】
【０００１】
本発明は、コネクターに関し、より詳しくは製造コストを節減して製造効率を高めたコネクターに関する。
【０００２】
本出願は、２０１９年８月２０日出願の韓国特許出願第１０−２０１９−０１０１９７２号に基づく優先権を主張し、該当出願の明細書及び図面に開示された内容は、すべて本出願に組み込まれる。
【背景技術】
【０００３】
最近、充放電が可能な二次電池は、ワイヤレスモバイル器機のエネルギー源として広範囲に使用されている。また、二次電池は、化石燃料を使用する既存のガソリン車両、ディーゼル車両などの大気汚染などを解決するための方案として提示されている電気自動車（ＥＶ）、ハイブリッド電気自動車（ＨＥＶ）などの動力源としても注目を浴びている。
【０００４】
小型モバイル器機には、デバイス一台当たり一つまたは数個のバッテリーセルが用いられることに対し、自動車などのような中・大型デバイスには高出力・大容量の必要性から、複数のバッテリーセルを電気的に接続した中・大型バッテリーモジュールが使われ、このようなバッテリーモジュールを複数接続して具現されたバッテリーパックが用いられている。
【０００５】
このようなバッテリーパックは、可能であれば、小さい大きさと重量で製造されることが望ましいため、高い集積度で積層でき、容量に対して重量が小さい角形電池、パウチ型電池などがバッテリーパックに適用されるバッテリーセルとして主に用いられている。
【０００６】
また、バッテリーパックが所定の装置またはデバイスにおいて要求される出力及び容量を提供するためには、複数のバッテリーセルを直列、並列、または直列と並列の混合方式で電気的に接続する必要があった。例えば、バッテリーパック内のバッテリーセルは、電極端子が金属プレート形態で提供される複数のバスバーに溶接され、直列、並列、または直列と並列の混合方式で電気的に接続し得る。
【０００７】
さらに、バッテリーパックは、複数のバッテリーセルが組み合わせられた構造からなるため、一部のバッテリーセルが、過電圧、過電流または過発熱される場合を感知するために、バッテリーセルから発生した電流をセンシングできるセンシング手段が必要であった。このようなセンシング手段は、バッテリーセルと個別的に接続してバッテリーセルの電圧／電流情報をＢＭＳ（バッテリー管理システム）などに提供することができた。
【０００８】
このようなＢＭＳは、印刷回路が内蔵された印刷回路基板を備え得る。また、ＢＭＳには、外部装置と信号を交換するか、または外部からの電力を受けるかもしくは外部へ電力を供給するために、印刷回路基板に実装されるコネクターが備えられる必要があった。このようなコネクターは、相対のコネクターとの接続と解除を反復するため、印刷回路基板に堅固に固定される必要があった。
【０００９】
従来技術においては、印刷回路基板にこのようなコネクターを固定するために、ボルト締結方式を用いていた。即ち、ボルト締結のためにコネクターにボスホール（ｂｏｓｓ  ｈｏｌｅ）を形成し、印刷回路基板にボルト締結のための締結孔を形成する必要があった。
【００１０】
しかし、このようなボルト締結方式は、ボスホールを形成するためにハウジングの大きさを大きく設定する必要があった。また、ボスホールによるハウジング構造の制約が大きかった。さらに、ボルト締結による材料費と印刷回路基板の工程費用がかかり、ボルト締結に過度な時間が所要され、バッテリーパックの製造コストを上昇させる大きい要因となっていた。
【発明の概要】
【発明が解決しようとする課題】
【００１１】
本発明は、上記問題点に鑑みてなされたものであり、製造コストを節減し、製造効率を高めたコネクターを提供することを目的とする。
【００１２】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１３】
上記の課題を達成するため、本発明によるコネクターは、
印刷回路基板の上に搭載され、一側が外部に開放された空いた空間が形成されるように構成された側壁、及び印刷回路基板に挿通するように側壁の外面から突出した固定部、が備えられたハウジングと、
一端がハウジングの側壁に挿通し、他端が印刷回路基板に挿通し、印刷回路基板と電気的に接続するように構成された接続端子と、
一部分がハウジングの空間に挿入され、残りの部分がハウジングの外部へ突出しており、他のコネクターの接続端子が挿入されるように複数の接続ホールを有する端子収容部、及び固定部の印刷回路基板から外部へ突出した部分と物理的に結合するように端子収容部の外面から固定部が位置した方向へ延びた結合部、が備えられた接続ユニットと、を含む。
【００１４】
また、固定部には、結合部と結合し、ハウジングの側壁の下部から下方へ突出して延び、さらに水平方向へ線状で延びた固定突起が備えられ得る。
【００１５】
さらに、結合部は、
端子収容部の下部から下方へ長く延びた柱部と、
柱部の下端部から固定突起が形成された方向へ延び、延びた方向の端部が固定突起と結合するように構成されたフックと、を備え得る。
【００１６】
そして、結合部は、フックが上下方向へ移動するように柱部の下端部から固定突起が形成された方向の反対方向へ長く延びた調整台を備え得る。
【００１７】
さらに、接続ユニットは、結合部をカバーするように端子収容部の下部から下方へ延びたカバー部を備え得る。
【００１８】
また、フックには、印刷回路基板の外面と対向し、固定突起が形成された方向へ長く延びたガイド突起が備えられ得る。
【００１９】
そして、固定突起の一部は、フックの突起とガイド突起との間に挟まれるように構成され得る。
【００２０】
さらに、固定突起は、
左右方向へ線状で延びた延長構造と、
延長構造の左右方向の両端から前後方向へ延びたサイド構造と、を備え得る。
【００２１】
また、フックは、固定突起の延長構造にフック結合するように構成され、
延長構造には、内側へ凹んだ結合溝が備えられ、
フックには、結合溝に挿入されるように構成された締結突起が備えられ得る。
【００２２】
なお、上記の課題を達成するための本発明による印刷回路基板アセンブリーは、コネクター及び印刷回路基板を含む。
【００２３】
そして、上記の課題を達成するための本発明によるバッテリーパックは、印刷回路基板アセンブリーを含む。
【発明の効果】
【００２４】
本発明の一面によれば、本発明のコネクターは、印刷回路基板に挿通するように側壁の外面から突出された固定部を備えたハウジングを含むことで、別の固定部材なく、簡単にハウジングを印刷回路基板に固定できる。これによって、部品点数を減らして製造工程を減らすことができ、製造コストを節減させることができる。
【００２５】
さらに、本発明のコネクターには、固定部の印刷回路基板から外部へ突出した部分と物理的に結合するように端子収容部の外面から固定部が位置した方向へ延びた結合部が備えられることによって、別の固定部材を用いることなく既存の構成である接続ユニットの結合部とハウジングの固定部とを相互に物理的に結合することで、ハウジングを印刷回路基板にさらに堅固に固定することができる。
【００２６】
また、本発明の一実施例の一面によれば、本発明の結合部は、端子収容部の下部から下方へ長く延びた柱部、及びこのような柱部の下端部から固定突起が形成された方向へ延び、延びた方向の端部が固定突起と結合するように構成されたフックを備えることで、接続ユニットとハウジングとを単に前後方向へ雌雄結合するだけで二つの部材を結合することができる。これによって、コネクターの印刷回路基板に簡単に取り付けることが可能であり、二つの部材が堅固な結合をなすことができるという利点がある。
【００２７】
さらに、本発明の一面によれば、フックには印刷回路基板の外面と対向し、固定突起が形成された方向へ長く延びたガイド突起が備えられることで、このようなフックが、印刷回路基板の下面に沿って移動することを揺れることなくガイドできるため、結合部のフックをハウジングの固定部の固定突起に結合する作業を容易かつ安定的に行うことができる。これによって、コネクターを印刷回路基板に取り付ける作業がさらに容易になる。
【００２８】
そして、本発明の一面によれば、固定突起の一部は、フックとガイド突起との間に挟まれるように構成されることで、固定部と結合部との結合力をさらに高めることができ、外力によるコネクターの前後方向への動きをガイド突起によって防止することができる。
【００２９】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００３０】
【図１】本発明の一実施例によるコネクターを概略的に示す斜視図である。
【図２】本発明の一実施例によるコネクターの構成を概略的に示す分解斜視図である。
【図３】本発明の一実施例によるコネクターの一部構成を概略的に示す後方斜視図である。
【図４】本発明の一実施例によるコネクターの一部構成を概略的に示す底面図である。
【図５】本発明の一実施例によるコネクターを概略的に示す後方底面斜視図である。
【図６】図１のＡ−Ａ'線に沿ってコネクターを切断した様子を概略的に示す縦断面図である。
【図７】図６のＢ領域を拡大して概略的に示す部分拡大図である。
【図８】本発明の他の実施例によるコネクターの一部構成を概略的に示す後方斜視図である。
【図９】図８のＣ−Ｃ'線に沿ってコネクターを切断した様子を概略的に示す横断面図である。
【図１０】本発明の他の実施例によるコネクターの一部を概略的に示す部分拡大図である。
【発明を実施するための形態】
【００３１】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００３２】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００３３】
図１は、本発明の一実施例によるコネクターを概略的に示す斜視図である。図２は、本発明の一実施例によるコネクターの構成を概略的に示す分解斜視図である。図３は、本発明の一実施例によるコネクターの一部構成を概略的に示す後方斜視図である。そして、図４は、本発明の一実施例によるコネクターの一部構成を概略的に示す底面図である。ここで、図１の印刷回路基板１００は、説明の便宜のために全体ではなく一部のみを図示した。即ち、印刷回路基板１００はより大きい大きさであり得、さらに多い素子とコネクターなどが基板に実装され得る。
【００３４】
図１〜図４を参照すれば、本発明の一実施例によるコネクター２００は、ハウジング２１０、接続端子２２０及び接続ユニット２３０を含む。
【００３５】
具体的に、ハウジング２１０は、印刷回路基板１００の一面に搭載されるように構成され得る。例えば、図１に示したように、ハウジング２１０の下部は、印刷回路基板１００の上面に搭載されるように構成され得る。
【００３６】
また、ハウジング２１０は、一側が外部に開放された空いた空間Ｓが形成されるように構成された側壁２１１を備え得る。より具体的に、側壁２１１は、Ｆ方向から見た場合、上側壁２１１ａ、下側壁２１１ｂ、左側壁２１１ｃ、右側壁２１１ｄ及び後側壁２１１ｅを備え得る。ハウジング２１０には、前方に開放された空間Ｓが形成され得る。
【００３７】
ハウジング２１０は、電気絶縁性の合成樹脂からなり得る。
【００３８】
そして、ハウジング２１０は、印刷回路基板１００に挿通するように側壁２１１の外面から突出した固定部２１５を備え得る。固定部２１５の突出した方向の端部は、印刷回路基板１００を貫いて印刷回路基板１００の他面１００ｂよりも外部へ突出するように構成され得る。即ち、ハウジング２１０は、固定部２１５によって印刷回路基板１００に固定され得る。
【００３９】
したがって、本発明のこのような構成によれば、本発明のコネクター２００は、印刷回路基板１００に挿通するように側壁２１１の外面から突出した固定部２１５を備えたハウジング２１０を含むことで、別の固定部材なく、簡単にハウジング２１０を印刷回路基板１００に固定することができる。これによって、部材の数を減らして製造工程を減らすことができ、製造コストを節減することができる。
【００４０】
図５は、本発明の一実施例によるコネクターを概略的に示す後方底面斜視図である。
【００４１】
図２と共に図５を参照すれば、接続端子２２０は、一端２２０ａがハウジング２１０の側壁２１１に挿通するように構成され得る。接続端子２２０は、一端２２０ａの反対側の部分である他端２２０ｂが印刷回路基板１００に挿通し得る。接続端子２２０は、印刷回路基板１００と電気的に接続するように下方へ折り曲げられた構造２２０ｃを有し得る。接続端子２２０は、他端２２０ｂが印刷回路基板１００に形成された貫通孔Ｈ１に挿入され、はんだ付けによって印刷回路基板１００の回路と電気的に接続し得る。
【００４２】
また、接続端子２２０は、他のコネクター（図示せず）の接続端子（図示せず）と接続するように構成され得る。接続端子２２０は、メス（ｆｅｍａｌｅ）接続端子２２０、またはオス（ｍａｌｅ）接続端子２２０であり得る。そして、接続端子２２０は、リード形態を有し得る。例えば、本発明の接続端子２２０はメス接続端子であり、他のコネクターの接続端子はオス接続端子であり得る。逆に、本発明の接続端子２２０がオス接続端子であり、他のコネクターの接続端子がメス接続端子であり得る。また、接続端子２２０は、電気伝導性の金属または合金からなり得る。例えば、金属は、ニッケル、銅及びアルミニウムなどであり得る。
【００４３】
一方、図１〜図５をさらに参照すれば、接続ユニット２３０は、端子収容部２３２及び結合部２３６を備え得る。
【００４４】
より具体的に、Ｆ方向から見る場合、端子収容部２３２は、一部（後端部）がハウジング２１０の空いた空間に挿入されて結合するように構成され得る。この際、端子収容部２３２は、ハウジング２１０の内部に挿入された一部に接続端子２２０の一端が内部へ挿通するように構成され得る。例えば、端子収容部２３２には、接続端子２２０の一端が挿入されるように構成された接続ホール２３２ｈが備えられ得る。
【００４５】
例えば、図２に示したように、接続端子２２０は一端が端子収容部２３２の接続ホール２３２ｈの後端部に挿通し得る。接続ホール２３２ｈは、端子収容部２３２の前端から後端まで貫通した構造を有し得る。
【００４６】
また、端子収容部２３２は、ハウジング２１０の空いた空間Ｓに挿入されていない残りの部分がハウジング２１０の外部へ突出した形態を有し得る。端子収容部２３２の残りの部分には、他のコネクター（図示せず）の接続端子（図示せず）の一端が挿入されるように接続ホール２３２ｈの前端部が外部に露出するように位置し得る。
【００４７】
即ち、端子収容部２３２の接続ホール２３２ｈは、他のコネクター（図示せず）の接続端子が挿通して、本発明のコネクター２００の接続端子２２０と接続（接触）するように構成され得る。
【００４８】
例えば、図３に示したように、端子収容部２３２には１２個の接続ホール２３２ｈが備えられ得る。１２個の接続ホール２３２ｈの後端部には、  １２個の接続端子２２０の一端２２０ａが挿通するように構成され得る。
【００４９】
図１及び図２と共に図３をさらに参照すれば、結合部２３６は、固定部２１５の印刷回路基板１００から外部へ突出した部分と物理的に結合するように構成され得る。結合部２３６は、端子収容部２３２の外面から固定部２１５が位置した方向へ延びるように構成され得る。
【００５０】
例えば、結合部２３６は、端子収容部２３２の下部から下方へ延び、下方へ延びた端部２３６ａがさらに固定部２１５が位置した方向へ折り曲げられて延びた構造を有し得る。そして、折り曲げられて延びた端部２３６ａは、固定部２１５と結合するように構成され得る。
【００５１】
したがって、本発明のこのような構成によれば、本発明は、固定部２１５の印刷回路基板１００から外部へ突出した部分と物理的に結合するように端子収容部２３２の外面から固定部２１５が位置した方向へ延びた結合部２３６が備えられることで、別の固定部材を用いることなく既存の構成である接続ユニット２３０の結合部２３６とハウジング２１０の固定部２１５とを相互に物理的に結合することで、ハウジング２１０を印刷回路基板１００にさらに堅固に固定することができる。
【００５２】
図６は、図１のＡ−Ａ'に沿ってコネクターを切断した様子を概略的に示す縦断面図である。図７は、図６のＢ領域を拡大して概略的に示す部分拡大図である。
【００５３】
図２及び図４と共に図６及び図７を参照すれば、固定部２１５は、結合部２３６と結合するように構成された固定突起２１５ａを備え得る。固定突起２１５ａは、ハウジング２１０の側壁２１１の下部から下方へ突出して延び、さらに水平方向へ線状で延びた形態を有し得る。
【００５４】
また、印刷回路基板１００に上下方向に開口された固定ホールＨ２が備えられる場合、固定突起２１５ａは、固定ホールＨ２に挿通するように構成され得る。固定突起２１５ａにおいて挿通して外部に露出した一部分は、接続ユニット２３０の結合部２３６と物理的に結合するように構成され得る。
【００５５】
例えば、図４及び図７に示したように、ハウジング２１０の固定部２１５には、印刷回路基板１００を貫通して外部に露出した固定突起２１５ａが備えられ得る。この際、固定突起２１５ａは、ハウジング２１０の側壁２１１の下部から下方へ突出して延び、さらに水平方向へ線状で延びた形態を有し得る。ハウジング２１０は、固定突起２１５ａによって印刷回路基板１００に固定され得る。
【００５６】
したがって、本発明のこのような構成によれば、固定部２１５は、結合部２３６と結合し、ハウジング２１０の側壁２１１の下部から下方へ突出して延び、さらに水平方向へ線状で延びた固定突起２１５ａを備える場合、ハウジング２１０は、単に印刷回路基板１００に搭載されるだけでも固定突起２１５ａによって固定できる。また、ハウジング２１０は、固定突起２１５ａによって簡単な物理的結合によって接続ユニット２３０とも安定的な締結をなすことができる。
【００５７】
また、図３と共に図５を参照すれば、結合部２３６は、柱部２３７及びフック２３８を備え得る。具体的に、柱部２３７は、端子収容部２３２の下部から下方へ長く延びた形態を有し得る。また、柱部２３７は、前後方向の面積が左右方向の面積よりも大きいプレート状であり得る。フック２３８は、柱部２３７の下端部から固定突起２１５ａが形成された方向へ延びた本体を有し得る。さらに、フック２３８は、本体の延びた方向の端部には、固定突起２１５ａと結合するように上方へ突出した突起２３８ｃを有し得る。
【００５８】
例えば、図５に示したように、結合部２３６は、端子収容部２３２の下部から下方へ長く延びた柱部２３７と、柱部２３７の下端部から固定突起２１５ａが形成された後方へ延び、延びた方向の端部２３６ａが固定突起２１５ａと結合するように構成されたフック２３８と、を備え得る。例えば、図７に示したように、フック２３８の上方へ突出した突起２３８ｃの端部は、固定突起２１５ａの後面を前方へ押し付けるように構成され得る。
【００５９】
したがって、本発明のこのような構成によれば、結合部２３６は、端子収容部２３２の下部から下方へ長く延びた柱部２３７と、柱部２３７の下端部から固定突起２１５ａが形成された方向へ延び、延びた方向の端部２３６ａが固定突起２１５ａと結合するように構成されたフック２３８と、を備えることで、接続ユニット２３０とハウジング２１０とを単に前後方向において雌雄結合することだけで二つの部材を結合することができる。これによって、コネクター２００を印刷回路基板１００に簡単に取り付けることが可能であり、二つの部材が堅固な結合をなすことができる。
【００６０】
また、図２と共に図６及び図７を参照すれば、結合部２３６は、フック２３８が上下方向へ移動するように構成された調整台２３９をさらに備え得る。調整台２３９は、柱部２３７の下端部から固定突起２１５ａが形成された方向の反対方向へ長く延びるように構成され得る。即ち、結合部２３６は、全体的に上下が逆になった「Ｔ」字形を有し得る。使用者は、調整台２３９を上下方向へ加圧することで、てこの原理によって柱部２３７の下端部を中心にしてフック２３８の後端部が上下方向へ円運動できる。例えば、図６に示したように、結合部２３６は、柱部２３７の下端部から前方へ長く延びた調整台２３９を備え得る。
【００６１】
即ち、作業者が調整台２３９と端子収容部２３２の上部を手で握って締めれば、フック２３８が下方へ下がり、このような状態で接続端子２２０をハウジング２１０の空いた空間Ｓに挿入するようになれば、フック２３８の突起２３８ｃが固定突起２１５ａの後面に位置するように位置させることができる。また、作業者が調整台２３９を握った手を放すと、フック２３８と固定突起２１５ａが結合される。
【００６２】
したがって、本発明のこのような構成によれば、結合部２３６は、フック２３８が上下方向へ移動するように柱部２３７の下端部から固定突起２１５ａが形成された方向の反対方向へ長く延びた調整台２３９を備えることで、接続ユニット２３０を印刷回路基板１００に搭載固定されたハウジング２１０と容易に結合することができ、コネクター２００を印刷回路基板１００に取り付ける作業を容易に行うことができる。
【００６３】
また、図２及び図３を参照すれば、接続ユニット２３０には、カバー部２３４が備えられ得る。カバー部２３４は、結合部２３６をカバーするように構成され得る。具体的に、カバー部２３４は、接続ユニット２３０の端子収容部２３２の下部から下方へ延びた構造を有し得る。また、カバー部２３４は、下方へ延びた端部が、結合部２３６の調整台２３９が位置した方向へ折り曲げられて延び得る。
【００６４】
例えば、図２に示したように、接続ユニット２３０には、端子収容部２３２の下部から下方へ延び、調整台２３９が位置した方向へ折り曲げられた形態を有するカバー部２３４が備えられ得る。
【００６５】
したがって、本発明のこのような構成によれば、接続ユニット２３０は、結合部２３６をカバーするように端子収容部２３２の下部から下方へ延びたカバー部２３４を備えることで、調整台２３９が外部物体によって干渉されることをカバー部２３４で阻むことができ、固定部２１５と結合部２３６との結合が解除されることを防止することができる。これによって、コネクター２００の使用中に連結が解除されるか、または故障が発生することを防止することができる。
【００６６】
図８は、本発明の他の実施例によるコネクターの一部構成を概略的に示す後方斜視図である。そして、図９は、図８のＣ−Ｃ'線に沿ってコネクターを切断した様子を概略的に示す横断面図である。
【００６７】
図８及び図９を参照すれば、他の一実施例による接続ユニット２３０Ａは、フック２３８に印刷回路基板１００の外面と対向し、固定突起２１５ａが形成された方向へ長く延びたガイド突起２３８ｐが備えられ得る。また、フック２３８の本体の上面には、上方へ突出して前後方向へ線状で延びたガイド突起２３８ｐが備えられ得る。ガイド突起２３８ｐは、フック２３８が印刷回路基板１００の外面に沿って移動するようにガイドする構成であり得る。例えば、図９に示したように、結合部２３６のフック２３８には、二つのガイド突起２３８ｐが備えられ得る。
【００６８】
したがって、本発明のこのような構成によれば、フック２３８には、印刷回路基板１００の外面と対向し、固定突起２１５ａが形成された方向へ長く延びたガイド突起２３８ｐが備えられることで、ガイド突起２３８ｐは、フック２３８が印刷回路基板１００の下面に沿って揺れることなく移動するようにガイドできるので、結合部２３６のフック２３８をハウジング２１０の固定部２１５の固定突起２１５ａに結合する作業を容易かつ安定的に行うことができる。これによって、コネクターを印刷回路基板に取り付ける作業がより容易になる。
【００６９】
図８及び図９をさらに参照すれば、固定突起２１５ａの一部は、フック２３８とガイド突起２３８ｐとの間に挟まれるように構成され得る。即ち、固定突起２１５ａは、フック２３８とガイド突起２３８ｐとの水平方向における離隔空間に挿入されるように構成され得る。例えば、図９に示したように、固定突起２１５ａの一部は、フック２３８の突起２３８ｃと二つのガイド突起２３８ｐとの間における離隔空間に挟まれるように構成され得る。
【００７０】
したがって、本発明のこのような構成によれば、固定突起２１５ａの一部は、フック２３８とガイド突起２３８ｐとの間に挟まれるように構成されることで、固定部２１５と結合部２３６との結合力をより高めることができ、外力によってコネクター２００が前後方向へ動くことをガイド突起２３８ｐによって防止することができる。
【００７１】
図２、図４及び図５をさらに参照すれば、固定突起２１５ａは、延長構造２１５ａ１及びサイド構造２１５ａ２を備え得る。延長構造２１５ａ１は、左右方向へ線状で延びた構造であり得る。サイド構造２１５ａ２は、延長構造２１５ａ１の左右方向の両端から前後方向へ延びた形態であり得る。
【００７２】
例えば、図４に示したように、固定突起２１５ａは左右方向へ延びた延長構造２１５ａ１と、前後方向へ線状で延びたサイド構造２１５ａ２と、を有し得る。また、図４に示したように、固定突起２１５ａの延長構造２１５ａ１及びサイド構造２１５ａ２の下部は、印刷回路基板１００を貫通して下部へ突出し得る。そして、固定突起２１５ａの延長構造２１５ａ１は、結合部２３６のフック２３８を結束するように係止片の役割を果たし得る。
【００７３】
また、サイド構造２１５ａ２の前後方向へ線状で延びた形態は、例えば、印刷回路基板１００に備えられた固定ホール（図示せず）と強い摩擦力を発揮し、ハウジング２１０が印刷回路基板１００に固定突起２１５ａによって固定された状態で前後方向の外力によって前後方向へ揺れることを阻止できる。さらに、サイド構造２１５ａ２は、連結構造に結合した外力によるフック２３８の突起２３８ｃの前後方向への移動または離脱を防止するストッパーの役割を果たす。
【００７４】
したがって、本発明のこのような構成によれば、固定突起２１５ａは、左右方向へ線状で延びた延長構造２１５ａ１と、延長構造２１５ａ１の左右方向の両端から前後方向へ延びたサイド構造２１５ａ２と、を備えることで、ハウジング２１０は、印刷回路基板１００の上に固定された状態を安定的に維持できる。また、サイド構造２１５ａ２によって固定部２１５と結合部２３６との結束がさらに完全になる。
【００７５】
図１０は、本発明の他の実施例によるコネクターの一部を概略的に示す部分拡大図である。
【００７６】
ここで、図１０のコネクターは、図７のコネクター２００と比較する場合、固定部２１５に結合溝２１５ｈがさらに備えられており、結合部２３６のフック２３８に締結突起２３８ｋがさらに備えられたことを除いて、残りの構成は、図７のコネクターと同じ構成を有し得る。これによって、以下では既に説明されたコネクター２００の構成については説明しない。
【００７７】
図４と共に図１０を参照すれば、フック２３８は、固定突起２１５ａの延長構造２１５ａ１に結合するように構成され得る。延長構造２１５ａ１には、内側へ凹んだ結合溝２１５ｈが備えられ得る。フック２３８には、結合溝２１５ｈに挿入されるように構成された締結突起２３８ｋが備えられ得る。例えば、図１０に示したように、フック２３８の延びた端部には、上方へ突出した突起２３８ｃ１が備えられ得、突起２３８ｃ１は、固定突起２１５ａの延長構造２１５ａ１と対向する一面に前方へ突出した締結突起２３８ｋをさらに備え得る。固定突起２１５ａの延長構造２１５ａ１には、内側へ凹んだ結合溝２１５ｈが備えられ得る。結合溝２１５ｈは、締結突起２３８ｋが嵌め込まれて固定される内部大きさを有し得る。
【００７８】
したがって、本発明のこのような構成によれば、延長構造２１５ａ１には、内側へ凹んだ結合溝２１５ｈが備えられ、フック２３８には、結合溝２１５ｈに挿入されるように構成された締結突起２３８ｋが備えられることで、結合部２３６と固定部２１５との結合力を効果的に高めることができる。さらに、固定突起２１５ａと結合したフック２３８は、締結突起２３８ｋによって結合が解除されることを効果的に防止できる。
【００７９】
また、本発明による印刷回路基板アセンブリー３００は、コネクター２００及び印刷回路（図示せず）が内蔵された印刷回路基板１００を含む。印刷回路基板アセンブリー３００は、コネクター２００と結合する相対コネクター（図示せず）をさらに備え得る。
【００８０】
さらに、本発明によるバッテリーパックは、複数の二次電池を備えたバッテリーモジュール（図示せず）及び印刷回路基板アセンブリー３００を含む。即ち、本発明によるバッテリーパックは、バッテリーモジュールの充放電を制御するための各種装置として印刷回路基板アセンブリー３００を含み得る。
【００８１】
なお、本明細書において、上、下、左、右、前、後のような方向を示す用語が使用されたが、このような用語は相対的な位置を示し、説明の便宜のためのものであるだけで、対象となる事物の位置や観測者の位置などによって変わり得ることは、当業者にとって自明である。
【００８２】
以上のように、本発明を限定された実施例と図面によって説明したが、本発明はこれに限定されず、本発明が属する技術分野における通常の知識を有する者によって本発明の技術思想と特許請求の範囲の均等範囲内で多様な修正及び変形が可能であることは言うまでもない。
【産業上の利用可能性】
【００８３】
本発明は、コネクターに関する。また、本発明は、コネクターを含むバッテリーパック関連産業に利用可能である。
【符号の説明】
【００８４】
１００    印刷回路基板
２００    コネクター
２１０    ハウジング
２１１    側壁
２１５    固定部
２１５ａ    固定突起
２１５ａ１    延長構造
２１５ａ２    サイド構造
２１５ｈ    結合溝
２２０    接続端子
２３０    接続ユニット
２３２    端子収容部
２３２ｈ    接続ホール
２３４    カバー部
２３６    結合部
２３７    柱部 
２３８    フック  
２３８ｋ    締結突起
２３８ｐ    ガイド突起
２３９    調整台
【図１】
2022500814.tif 000003
【図２】
2022500814.tif 000004
【図３】
2022500814.tif 000005
【図４】
2022500814.tif 000006
【図５】
2022500814.tif 000007
【図６】
2022500814.tif 000008
【図７】
2022500814.tif 000009
【図８】
2022500814.tif 000010
【図９】
2022500814.tif 000011
【図１０】
2022500814.tif 000012
【国際調査報告】
2022500814.tif 000013
2022500814.tif 000014
2022500814.tif 000015
2022500814.tif 000016
2022500814.tif 000017